(57)【要約】【課題】  高画質な画像から画像を切り出して拡大することで、拡大表示によって画質を劣化させることがなく、高画質な画像を端末で表示させることができる画像表示システムを提供する。【解決手段】  画像表示装置１０と画像表示部４５を備えた端末装置４０とが接続される画像表示システム１において、端末装置４０は、操作者からの指示に基づき画像表示部４５に表示されている画像データにつき拡大表示する領域を指定する領域指定部５０と、指定された領域指定情報を送信すると共に、コンテンツデータを受信する第１の送信部４１とを具備し、画像表示装置１０は、領域指定情報に基づく指定領域を切り出して部分画像データを生成する領域切り出し部１６と、部分画像データから端末装置４０の画像表示部２２に表示可能な解像度の拡大表示データに変換する解像度変換部１７と、生成された拡大表示データを送信するための第２の送受信部１９とをそれぞれ具備する。【選択図】      図１
2006013875.tif 000002
【特許請求の範囲】
【請求項１】
入力されたコンテンツデータから所望の画像データを表示する画像表示装置と画像表示部を備えた端末装置とがネットワーク接続され、前記端末装置が前記画像表示装置へコンテンツ要求信号を供給すると、前記画像表示装置は前記コンテンツ要求信号に対応したコンテンツデータを、前記コンテンツ要求信号を送信した端末装置に対して供給し、前記コンテンツデータを受信した端末装置は前記コンテンツデータから画像データを抽出して表示する画像表示システムにおいて、
前記端末装置は、
操作者からの指示に基づき前記画像表示部に表示されている画像データにつき拡大表示する領域を指定する領域指定部と、
この領域指定部によって指定された領域指定情報を前記コンテンツ要求信号の情報に含めて前記画像表示装置に送信すると共に、前記画像表示装置から供給された前記コンテンツデータを受信する第１の送信部とを具備し、
前記画像表示装置は、
前記端末装置から供給された前記コンテンツ要求信号に基づき、前記入力されたコンテンツデータから抽出した画像データから前記コンテンツ要求信号に含まれた領域指定情報に基づく指定領域を切り出して部分画像データを生成する領域切り出し部と、
前記生成された部分画像データから前記端末装置の前記画像表示部に表示可能な解像度の拡大表示データに変換する解像度変換部と、
前記生成された拡大表示データを前記ネットワークに出力するための第２の送受信部とをそれぞれ具備する
よう構成したことを特徴とする画像表示システム。
【発明の詳細な説明】
【技術分野】
【０００１】
本発明は、ディジタル放送を受信して表示する画像表示装置とネットワーク接続された端末とからなる画像表示システムに関する。
【背景技術】
【０００２】
近年、アンテナから受信したディジタル放送等を表示するテレビ機器は、高能率符号化された標準解像度、高解像度、又は超高解像度の映像を含むコンテンツを入力して、その中からユーザに指定された映像をディスプレイに表示するものが多い。
【０００３】
例えば、テレビ機器のディスプレイである大画面に表示し、サッカー等のスポーツ中継の映像を何人かのユーザが見ているとする。このとき、そのユーザの１人がサッカー選手の１人をよく見たい場合、実際の映像には広い撮影範囲が放送されているために、よく見ることはできない。また、よく見ようとしてテレビに近づいた場合、他のユーザの妨げになってしまう。
【０００４】
そのため、映像データを含むコンテンツをネットワーク経由で手元の端末に向けて送信し、その端末に備える表示モニタで表示するシステムもある（例えば、特許文献１及び２）。
【０００５】
このようなシステムは、高解像度の映像を表示する装置から、ネットワークを通じて表示モニタ付き端末に映像データを含むコンテンツを送信することで実現される。すなわち、表示装置であり、かつ、送信装置であるテレビ機器は、映像を大画面で表示するとともに、大画面を取り囲むユーザが持つ表示モニタ付の端末に対してネットワークを経由して映像データや音声データを含むコンテンツを配信し、そのコンテンツを受信した端末のモニタで映像音声を視聴することにより、遠くの画面よりも近くでコンテンツを視聴することができる。
【０００６】
このようなシステムにおいて、端末の表示モニタに映し出される画像を拡大できるようにした場合、ユーザの１人が大画面のディスプレイに映し出される一部についてその端末で表示されている映像の一部分を拡大すれば、他のユーザの妨げとならずに希望する映像を拡大処理して端末の表示モニタで見ることが可能になる。
【０００７】
図６に、このような従来の画像表示システム３００の一例を示す。図６に示す画像表示システムは、画像表示装置１００と端末２００とが接続されて成る。
【０００８】
画像表示装置１００では、入力端子１０１から入力されたデータは、入力バッファ１０２で復調されると多重分離処理部１０３で映像データ、付加データ及び音声データにそれぞれ分離される。映像データは映像デコーダ１０４に入力されて復号される。映像デコーダ１０４で復号された映像データは、フレームバッファメモリ１０５で１フレーム分の映像データが蓄積されると、これを画像データとして画像表示部１１１が有するディスプレイに表示する。
【０００９】
また、操作指示入力部１０９に外部の端末２００からの表示要求信号を受信したことをＣＰＵ１１５ｂで確認すると、解像度変換部１０６でこの表示要求信号の指示に従ってフレームバッファメモリ１０５に記憶されている画像データを端末２００のモニタに合わせて解像度を変換する。解像度変換部１０６で解像度が変換された画像データは、符号化・ストリーミング制御部１０７で符号化及びストリーミング処理を行い、ＬＡＮインターフェース部１０８を介して端末２００に送信する。
【特許文献１】特開２０００−１８１４２１号公報
【特許文献２】特開平１１−２４３５１２号公報
【発明の開示】
【発明が解決しようとする課題】
【００１０】
しかしながら、画像表示装置１００から端末２００に送信された映像は、画像表示装置１００の解像度変換部１０６において、端末２００で備える表示モニタの表示サイズに合わせて元の映像を縮小している。すなわち、端末２００のモニタで表示される映像はもとの映像と比較して、解像度が下げられたものである。このような従来の端末２００では、ユーザによりある一部の領域について拡大処理された場合、画像表示装置１００の解像度変換部１０６で解像度が下げられた画像を端末２００内で拡大されることになる。したがって、拡大された画像は、一度解像度が下げられた画像を利用して端末２００内で拡大処理して得ていることにより、得られる画像の画質は劣化したものとなってしまう。
【００１１】
そこで、本発明では、上記の課題に鑑み、高解像度の画像を表示する画像表示装置とネットワークを介して接続される端末のモニタに拡大画像を表示する場合、画像表示装置で表示する高解像度の画像を利用して、鮮明な画像を表示させることができる画像表示システムを提供することを目的とする。
【課題を解決するための手段】
【００１２】
上記の目的を達成するために請求項１の発明は、入力されたコンテンツデータから所望の画像データを表示する画像表示装置と画像表示部を備えた端末装置とがネットワーク接続され、前記端末装置が前記画像表示装置へコンテンツ要求信号を供給すると、前記画像表示装置は前記コンテンツ要求信号に対応したコンテンツデータを、前記コンテンツ要求信号を送信した端末装置に対して供給し、前記コンテンツデータを受信した端末装置は前記コンテンツデータから画像データを抽出して表示する画像表示システムにおいて、前記端末装置は、操作者からの指示に基づき前記画像表示部に表示されている画像データにつき拡大表示する領域を指定する領域指定部と、この領域指定部によって指定された領域指定情報を前記コンテンツ要求信号の情報に含めて前記画像表示装置に送信すると共に、前記画像表示装置から供給された前記コンテンツデータを受信する第１の送信部とを具備し、前記画像表示装置は、前記端末装置から供給された前記コンテンツ要求信号に基づき、前記入力されたコンテンツデータから抽出した画像データから前記コンテンツ要求信号に含まれた領域指定情報に基づく指定領域を切り出して部分画像データを生成する領域切り出し部と、前記生成された部分画像データから前記端末装置の前記画像表示部に表示可能な解像度の拡大表示データに変換する解像度変換部と、前記生成された拡大表示データを前記ネットワークに出力するための第２の送受信部とをそれぞれ具備するよう構成したことを特徴としている。
【００１３】
上記構成の本発明によれば、端末において拡大表示の要求がされた場合、端末に送信された解像度の低下された画像のデータを用いて拡大処理を行うのではなく、画像表示装置で記憶した画像を利用して拡大された画像のデータを用いて画像表示を行なうことで、拡大により画像を劣化させることなく、高画質の画像を端末に表示させることができる。
【発明の効果】
【００１４】
本発明の画像表示システムを構成する画像表示装置は、これにネットワーク接続される端末において表示画像を拡大する際に端末内に記憶された画像ではなく、画像表示装置内に記憶される高画質な画像から画像を切り出して拡大する。このように構成することにより、拡大表示によって画質を劣化させることがなく、高画質な画像を端末で表示させることができる画像表示システムを提供する。
【発明を実施するための最良の形態】
【００１５】
以下に、図面を参照して本発明に係る画像表示システムの好ましい実施例について説明する。
【００１６】
図１は、本発明に係る画像表示システムの実施の形態例を示した概略構成図である。同図は、ディスプレイ２２ａを具備した画像表示装置１０と３つの端末４０とからなる画像表示システム１を示した構成例である。画像表示装置１０は、端末４０により送信された表示要求信号を受信すると、この表示要求信号に応じたコンテンツを生成して端末４０に送信している。図１に示す例では、画像表示装置１０と端末４０との通信は無線によって行なわれている。
【００１７】
＜画像表示装置＞
図２は本発明に係る画像表示システム１の一部を構成する画像表示装置１０の構成を説明する簡単なブロック図である。図２に示すように、画像表示装置１０は、入力端子１１、入力バッファ１２、多重分離処理部１３、映像デコーダ１４、フレームバッファメモリ１５、領域切り出し部１６、解像度変換部１７、符号化・ストリーミング制御部１８、ＬＡＮインターフェース部１９、操作指示入力部２０、付加データ処理部２１、画像表示部２２、音声デコーダ２３、増幅処理部２４、スピーカ２５及び制御部２６を有している。
【００１８】
入力端子１１は、例えば図示しない放送局から送信されるコンテンツを入力する。
【００１９】
入力バッファ１２は、入力端子１１を介して入力した変調されているコンテンツを復調する。
【００２０】
多重分離処理部１３は、入力バッファ１２によって復調されたコンテンツを入力すると、このコンテンツを分離して、映像データ、音声データ及び付加データの各種データを生成する。ここで、映像データは、圧縮符号化されているストリーム形式のデータである。また、付加データはデータ放送用のデータや番組関連情報のデータ等である。
【００２１】
映像デコーダ１４は、多重分離処理部１３で生成された圧縮符号化されている映像データを復号する。
【００２２】
フレームバッファメモリ１５は、映像デコーダ１４で復号化された映像データがフレームごとに映像デコーダ１４から順次抽出されて蓄積される記憶部であり、ディジタル処理を経て表示されるようなテレビ機器に一般的に備えられているものである。具体的には、１フレーム分の映像データが、画像データとしてフレームバッファメモリ１５に記憶される。
【００２３】
領域切り出し部１６は、後述する端末４０から拡大表示が指示された場合には、フレームバッファメモリ１５で記憶されている画像データから該当する部分を部分画像データとして切り出す。
【００２４】
解像度変換部１７は、端末４０からの指示により領域切り出し部１６で切り出された部分画像データを端末４０に備えられるモニタに表示可能な解像度に変換して表示データを生成する。変換の方法としては、例えば画素を間引くなどの操作により変換する。
【００２５】
符号化・ストリーミング制御部１８は、解像度変換部１７で生成された表示データ、後述する付加データ処理部２１で処理された付加データ及び音声デコーダ２３で処理された音声データを入力すると、符号化するとともにストリーミング処理することで、端末４０に対して送信可能なコンテンツを生成する。
【００２６】
ＬＡＮインターフェース部１９は、端末４０から送信される拡大表示等を指示する表示要求信号を受信し、また、端末４０から受信した表示要求信号に対して生成されたコンテンツを端末４０に対して送信する。
【００２７】
操作指示入力部２０は、チャンネル変更や音量変更などの操作信号や、画像表示装置１０で必要な拡大する指定領域や拡大率の選択や実行させる操作信号等を入力する。この操作指示入力部２０は例えば、図示しないリモコンから操作信号が送信されると、この操作信号を受信するリモコン受信部や、画像表示装置１０の一部に設けられ、ユーザが操作信号を入力する操作パネルである。
【００２８】
付加データ処理部２１は、画像データに付随する番組表や番組情報等を復号し、画像表示部２２のディスプレイ２２ａに表示可能に処理された付加データを生成する。
【００２９】
画像表示部２２は、フレームバッファメモリ１５に記憶される画像データをディスプレイ２２ａに表示させる。ここで、ディスプレイ２２ａは、画像表示装置１０で内蔵していてもまた、画像表示装置１０の外部に備えて接続されるものであってもよい。
【００３０】
音声デコーダ２３は、多重分離処理部１３で分離された音声データをスピーカ２５で出力可能に復号する。
【００３１】
増幅処理部２４は、復号された音声データを出力可能に増幅する。スピーカ２５は、増幅された音声データを出力する。
【００３２】
制御部２６は、入力バッファ１２、多重分離処理部１３、映像デコーダ１４、領域切り出し部１６、解像度変換部１７、符号化・ストリーミング制御部１８、ＬＡＮインターフェース部１９、音声デコーダ２３、増幅処理部２４を操作指示入力部２０を介して入力された操作信号に基づいて制御する。この制御部２６はＣＰＵインターフェース２６ａ、ＣＰＵ２６ｂ、ＲＡＭ２６ｃ及びＲＯＭ２６ｄを備えている。
【００３３】
＜端末＞
図３は本発明に係る画像表示システム１の一部を構成する端末４０の構成を説明する簡単なブロック図である。図３に示すように、端末４０は、ＬＡＮインターフェース部４１、受信バッファ４２、復号化部４３、フレームバッファ部４４、表示モニタ部４５、音声バッファ部４６、スピーカ４７、ユーザインターフェース部４８、バッファ内部検査部４９、領域指定部５０及び制御部５１を備えている。
【００３４】
ＬＡＮインターフェース部４１は、制御部５１から発せられる要求に応じて画像表示装置１０から送信されるコンテンツを受信する。また、端末４０からの要求は、ユーザインターフェース部４８を介してユーザの表示に関する入力に基づいて表示要求信号を画像表示装置１０に対して送信するものである。ユーザが領域を指定して拡大表示の操作指示がされた場合、この表示要求信号は、その拡大を指定する領域を示す領域指定情報を含むものである。
【００３５】
受信バッファ４２は、ＬＡＮインターフェース部４１を介して受信したコンテンツを一時蓄積する。
【００３６】
復号化部４３は、受信バッファ４２で蓄積されたコンテンツを順次復号して画像データ、音声データ、付加データに分離する。
【００３７】
フレームバッファ部４４は、復号化部４３で復号化されたデータのうち、画像データを入力して蓄積する。
【００３８】
表示モニタ部４５は、フレームバッファ部４４で蓄積した画像データを表示する。図３においては、表示モニタ部４５は端末４０に内蔵されているが、必ずしも内蔵されている必要はなく、端末４０と別体として、外部に接続される構成であっても良い。
【００３９】
音声バッファ部４６、復号化部４３で復号化されたデータのうち、音声データを入力して蓄積する。
【００４０】
スピーカ４７は、音声バッファ部で蓄積した音声データを出力する。
【００４１】
ユーザインターフェース部４８は、ユーザからの表示に関する操作指示の入力を受ける。例えば、表示や拡大表示の操作指示また、拡大表示する場合の領域の指定操作等の入力を受ける。
【００４２】
バッファ内部検査部４９は、受信バッファ４２の状況を検知して、この状況を制御部５１に出力する。
【００４３】
領域指定部５０は、ユーザインターフェース部４８を介してユーザからの拡大表示の操作が入力されると、ユーザからの入力に基づき、表示モニタ部４５に表示されている画像データについて拡大表示する領域を指定する領域指定情報を生成する。
【００４４】
制御部５１は、ＣＰＵインターフェース部５１ａ、ＣＰＵ５１ｂ、ＲＯＭ５１ｃ及びＲＡＭ５１ｄを有している。
【００４５】
＜画像表示装置における処理＞
図４は、入力されたコンテンツの映像データから表示データが生成されてディスプレイ２２ａに表示される際の画像表示装置１０における処理の流れを説明するフローチャートである。なお、音声データ及び付加データについての処理に関する具体的な説明は省略する。以下では、画像表示装置１０において、サッカーの試合の中継をディスプレイ２２ａで表示し、数人のユーザで視聴している例を用いて説明する。
【００４６】
サッカーの試合の中継をディスプレイ２２ａに表示する場合、入力バッファ１２は、入力端子１１を介してコンテンツが入力されると、制御部２６からの制御により、コンテンツを復調する（Ｓ００１）。復調されたコンテンツは、画像情報、音声情報またこれらに付随する付加情報により構成されている。そこで、多重分離処理部１３は、制御部２６からの制御により、各メディアデータを分離し、映像データ、音声データ及び付加データを生成する（Ｓ００２）。
【００４７】
映像デコーダ１４は、制御部２６からの制御により、多重分離処理部１３で生成された映像データを入力して復号化する（Ｓ００３）。フレームバッファメモリ１５は、映像デコーダ１４で復号化された映像データを順次蓄積し、１フレーム分の画像データとして生成して記憶する（Ｓ００４）。
【００４８】
画像表示部２２のディスプレイ２２ａは、フレームバッファメモリ１５に１フレーム分の画像データが記憶されると、この画像データを表示する（Ｓ００５）。
【００４９】
ここで、端末４０により、ある選手の部分を拡大して表示が要求された場合（Ｓ００６）、領域切り出し部１６は、フレームバッファメモリ１５に記憶されている画像データから、端末４０に指示された領域を切り出す（Ｓ００７）。具体的には、ＬＡＮインターフェース部１９を介して端末４０から表示要求信号を受信するとＣＰＵ２６ｂは、領域切り出し部１６を制御することで、領域切り出し部１６において、表示要求信号で指定された領域の画像データを部分画像データとして切り出す。
【００５０】
解像度変換部１７は、領域切り出し部１６で切り出された部分画像データが入力されると、解像度が変換して端末４０のモニタで表示可能な画像サイズの表示データを生成する（Ｓ００８）。
【００５１】
符号化・ストリーミング制御部１８は、解像度変換部１７で生成された表示データ、付加データ処理部２１で処理された付加データ及び音声デコーダ２３で処理された音声データを端末４０に送信するために符号化するとともにストリーミングし、ＬＡＮインターフェース部１９では、このストリーミングされたコンテンツを端末４０に対して送信する（Ｓ００９）。
【００５２】
具体的には、もとの画像が３８４０画素×２１４６ラインのものであり、端末４０からの表示要求信号で指定された拡大範囲が（ｘ，ｙ）座標から１９２０画素×１０８０ラインの範囲であり、端末４０で備えるモニタの解像度が３５２画素×２４０ラインであったとする。
【００５３】
この場合、３８４０画素×２１４６ラインの画像データがフレームバッファメモリ１５から画像表示部２２に出力されるとともに、フレームバッファメモリ１５内に記憶されている画像データから、指定された座標（ｘ，ｙ）を基点として、１９２０画素×１０８０ラインの画像データを切り出す。さらに、切り出した画像データを解像度変換部１７によって３５２画素×２４０ラインの画像データに縮小し、符号化・ストリーミング制御部１８で端末４０にコンテンツを送信するために適したデータ量に符号化されたコンテンツを、ＬＡＮインターフェース部１９を介して端末４０に送信する。
【００５４】
端末４０に対してコンテンツを送信する際には、画像表示装置１０は端末４０の受信状況を検知し、端末４０の受信状況に応じて符号化・ストリーミング制御部１８で送出量を制御しながらコンテンツを送信する。端末４０の受信状況の検知の方法は、端末４０の受信バッファ４２の蓄積量に応じて端末４０が送出量を制御するよう画像表示装置１０の符号化・ストリーミング制御部１８にネットワークを通じて通知し、それに応じて送出量を調整するなどの方法がある。
【００５５】
その後、画像表示装置１０の電源がオフされたとき、処理は終了する（Ｓ０１０）。一方、電源がオフされていない場合にはステップＳ００１に戻り同様の処理が繰り返される。
【００５６】
＜端末における処理＞
次に、端末４０における処理について図５に示すフローチャートを用いて説明する。
【００５７】
端末４０の電源がオフの状態でユーザによって電源がオンにされると、この端末４０は画像表示装置１０との接続を試みる。画像表示装置１０との接続は、ＤＨＣＰによる接続であっても、予め端末４０ごとに割り振りられる固定のＩＰによる接続のいずれであってもよい。いずれにしても、予め双方のネットワーク登録がしてあることが望ましい。
【００５８】
また、画像表示装置１０の電源がオンになる前に端末４０の電源がオンにされていてもよい。この場合には、端末４０は画像表示装置１０の電源がオンになるまでの間、定期的に接続先となる画像表示装置１０を検知し、画像表示装置１０の電源がオンにされたこをと検知したときに、画像表示装置１０と端末４０とが接続される。
【００５９】
このようにして画像表示装置１０と端末４０とが接続されると、端末４０では、画像表示装置１０から受信した表示データをモニタに表示する（Ｓ１０１）。この表示データは、現在、画像表示装置１０のディスプレイ２２ａで表示されている画像データを、端末４０のモニタの画像サイズに合わせて解像度変換されたものである。
【００６０】
このとき、ＣＰＵ５１ｂは、ユーザインターフェース部４８でユーザからの拡大表示等の操作指示がされると、領域指定情報を含む表示要求信号を生成する（Ｓ１０３）。この領域指定情報は、拡大の指示や拡大する領域に関する指示であり、ユーザにより指定された領域に基づいて、領域指定部５０において生成される。また、この表示要求信号を生成するためのパラメータとしては、拡大したい映像の左上点の座標、拡大したい映像の横幅であるドット数及び縦幅である走査ライン数を利用する。
【００６１】
ＬＡＮインターフェース部４１は、生成された表示要求信号を画像表示装置１０に送信する（Ｓ１０４）。
【００６２】
ＬＡＮインターフェース部４１は、画像表示装置１０からこの表示要求信号に対するコンテンツを受信し、受信したコンテンツを受信バッファに読み出すと（Ｓ１０５）、復号化部４３で復号化されたこのコンテンツに含まれる画像データを端末４０に備えられるモニタに表示する（Ｓ１０６）。
【００６３】
その後、端末４０の電源がオフされたときにこの処理は終了する（Ｓ１０７）。一方、電源がオフされていない場合にはステップＳ１０２に戻り同様の処理が繰り返される。
【００６４】
ステップＳ１０５のコンテンツを受信した際には、ＬＡＮインターフェース部４１を介して画像表示装置１０から受信したコンテンツは、受信バッファ４２に一時蓄積され、復号化部４３が受信バッファ４２で蓄積されたコンテンツを、復号化処理するために適切な速度で読み出し、復号化処理を行なう。
【００６５】
ここで、ＬＡＮインターフェース部４１から受信バッファ４２にコンテンツが入力される速さが前記読み出しの速さ以上に大きくなると、受信バッファ４２にコンテンツを蓄積しきれなくなり、コンテンツの取りこぼしが発生してしまう。それを防ぐ為に、ＣＰＵ５１ｂがバッファ内部検査部４９によって、逐次受信バッファ４２のデータ蓄積量を監視し、ある混雑状態となってくると、ＬＡＮインターフェース部４１を介して送信側である画像表示装置１０へ、コンテンツデータの送信量を抑制するように要求を行なう。
【００６６】
具体的には、受信側である端末４０からデータを要求するデータ要求信号を控えるなど、送信側である画像表示装置１０とのデータ送受信方法の取り決め（プロトコル）を利用することによって実現する。あるいは、ＣＰＵ５１ｂが逐次前記バッファ内部検査部４９を監視しなくとも、バッファ内部検査部４９が受信バッファ４２を自ら監視してある程度混雑状態に近づいたところでＣＰＵ５１ｂに対して割り込み信号を発生することにより、ＣＰＵ５１ｂが前述した方法と比較して軽負荷状態で受信バッファ蓄積量を制御するようにするなどの実現方法もある。
【００６７】
上述した実施例によれば、画像表示装置１０と端末４０とが接続されたときには画像表示装置１０のディスプレイ２２ａで表示されている画像データが端末４０に表示されているが、接続されたときではなく、端末４０から送信される表示要求信号に対する画像データを画像表示装置１０から受信したときに初めて端末４０のモニタに画像が表示される構成であってもよい。
【００６８】
また、この端末４０は必ずしも複数の人がそれぞれ持っている必要はなく、１の端末４０を複数人で共有するものであっても良い。また、ネットワークは有線であるか無線であるかを問わず、例えば光無線によるネットワークを利用することも可能である。
【図面の簡単な説明】
【００６９】
【図１】本発明の画像表示システムの概略図である。
【図２】本発明の画像表示システムの一部を構成する画像表示装置を説明するブロック図である。
【図３】本発明の画像表示システムの一部を構成する端末の構成を説明するブロック図である。
【図４】本発明の画像システムの画像表示装置における処理を説明するフローチャートである。
【図５】本発明の画像システムの端末における処理を説明するフローチャートである。
【図６】従来の画像表示システムを説明するブロック図である。
【符号の説明】
【００７０】
１…画像表示システム
１０…画像表示装置
１１…入力端子
１２…入力バッファ
１３…多重分離処理部
１４…映像デコーダ
１５…フレームバッファメモリ
１６…領域切り出し部
１７…解像度変換部
１８…符号化・ストリーミング制御部
１９…ＬＡＮインターフェース部
２０…操作指示入力部
２１…付加データ処理部
２２…画像表示部
２２ａ…ディスプレイ
２３…音声デコーダ
２４…増幅処理部
２５…スピーカ
２６…制御部
２６ａ…ＣＰＵインターフェース
２６ｂ…ＣＰＵ
２６ｃ…ＲＡＭ
２６ｄ…ＲＯＭ
４０…端末
４１…ＬＡＮインターフェース部
４２…受信バッファ
４３…復号化部
４４…フレームバッファ部
４５…表示モニタ部
４６…音声バッファ部
４７…スピーカ
４８…ユーザインターフェース部
４９…バッファ内部検査部
５０…領域指定部
５１ａ…ＣＰＵインターフェース部
５１ｂ…ＣＰＵ
５１ｃ…ＲＯＭ
５１ｄ…ＲＡＭ
１００…画像表示装置
１０１…入力端子
１０２…入力バッファ
１０３…多重分離処理部
１０４…映像デコーダ
１０５…フレームバッファメモリ
１０６…解像度変換部
１０７…符号化・ストリーミング制御部
１０８…ＬＡＮインターフェース部
１０９…操作指示入力部
１１１…画像表示部
１１５ｂ…ＣＰＵ
２００…端末
３００…画像表示システム
【図１】
2006013875.tif 000003
【図２】
2006013875.tif 000004
【図３】
2006013875.tif 000005
【図４】
2006013875.tif 000006
【図５】
2006013875.tif 000007
【図６】
2006013875.tif 000008